(57)【要約】【課題】  ウェブページ閲覧機能を備えたテレビジョン放送受信装置において、二画面表示を効率よく行なう。【解決手段】  二画面表示を起動させる度に、いかなる映像信号の組合わせによるに二画面表示を行なわせるか選択するための画面表示を行なって、選択された内容の二画面表示を実行させる。また、二画面表示を起動させた際に、予め設定した映像信号の組合わせによる画面表示が実行されるようにし、その状態から二画面の内容の切換えと、一画面表示への切換えをサイクリックに実行させるように構成した。【選択図】  図１
2005244716.tif 000002
【特許請求の範囲】
【請求項１】
複数のテレビジョン信号を受ける受信手段と、
通信手段によって外部ウェブサイトからウェブページの情報を取得して表示可能なブラウザ画面を構築する情報取得手段と、
表示手段と、
前記受信手段で受信された複数のテレビジョン信号に基づく映像と前記情報取得手段で構築されたブラウザ画面に基づく映像とから選択した２つの映像による二画面表示を前記表示手段で行なわせる表示制御手段と、
を具備したことを特徴とするテレビジョン放送受信装置。
【請求項２】
前記表示制御手段は、前記テレビジョン信号に基づく映像同士によって二画面を構築する第１の表示形態と、前記テレビジョン信号に基づく映像と前記ブラウザ画面に基づく映像によって二画面を構築する第２の表示形態とを選択する選択手段を備えることを特徴とする請求項１に記載のテレビジョン放送受信装置。
【請求項３】
前記表示制御手段は、二画面表示を実行させる際に、前記テレビジョン信号に基づく映像同士によって二画面を構築する第１の表示形態と、前記テレビジョン信号に基づく映像と前記ブラウザ画面に基づく映像によって二画面を構築する第２の表示形態のうち予め決定された表示形態に基づく表示を優先的に実行させるものであることを特徴とする請求項１に記載のテレビジョン放送受信装置。
【請求項４】
前記表示制御手段はさらに、前記第１の表示形態と前記第２の表示形態と、いずれか一つの映像信号に基づく映像を表示させる第３の表示形態とを順次切換える表示切換え手段を含むことを特徴とする請求項３に記載のテレビジョン放送受信装置。
【請求項５】
データが多重伝送される放送信号を受ける受信手段と、
メモリと、
表示手段と、
前記メモリの所定領域を用いて、前記放送信号に多重伝送されるデータを前記表示手段で表示させるための映像を構築する処理手段と、
通信手段によって外部ウェブサイトからウェブページの情報を取得して前記メモリの所定領域を用いて、前記表示手段で表示させるためのブラウザ画面を構築する情報取得手段と、
前記処理手段で構築された映像を前記表示手段で表示する表示形態から前記情報取得手段で構築されたブラウザ画面を表示する表示形態に切換える際に、前記処理手段の処理用割り当てられた前記メモリの領域を解放して前記情報取得手段用に確保する制御手段と、
を具備したことを特徴とするテレビジョン放送受信装置。
【発明の詳細な説明】
【技術分野】
【０００１】
本発明は、放送を受信して番組を視聴するためのテレビジョン放送受信装置に関し、特に、インターネットを介して外部ウェブサイトにアクセスしてウェブページを画面表示させる機能を備えたテレビジョン放送受信装置に関する。
【背景技術】
【０００２】
テレビジョン放送においては、放送形態がアナログからデジタルに移行しつつあり、それに伴って、放送番組の視聴も放送局から提供される情報をもっぱら受身の形で受ける形態から、視聴者が電話回線を介して放送局に対して応答を行なうことのできる双方向型の形態になりつつある。
【０００３】
一方で、一般家庭において、パソコンでインターネットを介して外部ウェブサイトにアクセスして情報を画面表示させて閲覧を行なうということが広く普及してきている。
【０００４】
このように、デジタルテレビジョン放送番組の視聴と、インターネットのウェブページの閲覧は、異なる提示手段で行なわれており、放送番組を視聴する際には、テレビジョン受像機を使い、インターネットでアクセスする場合には、パソコンを使うという使い分けが行なわれているのが実状である。
【０００５】
しかしながら、それぞれの装置においは、表示手段を備える他、電話回線を使って外部と通信を行なう機能を備えており、あえて使い分けをせずに、例えばデジタルテレビジョン受像機に、さらにインターネットに接続してウェブページの閲覧を行なうためのブラウザを装備して、放送番組の視聴とインターネットの閲覧を１台のテレビジョン受像機で行なえるように構成すれば、使い勝手が向上することは明らかである。
【０００６】
従来、テレビジョン受像機で、インターネットのウェブページの閲覧も行なうことができるようにした提案がいくつかなされており、例えば特許文献１には、インターネット接続装置を備えたテレビジョン受信機において、インターネットの所定のウェブページに接続処理中の状態と、接続を完了した状態とで、画面表示を切換えるようにした提案が示されている。
【０００７】
すなわち、この特許文献１では、インターネットの接続処理中には、インターネット画面とテレビジョン映像とを同時に表示させ、インターネットの接続処理が終了したらインターネット画面のみを表示するようにした提案が示されている。また、この特許文献１には、インターネット画面とテレビジョン映像の表示切換えを時間で管理するという提案も開示され、さらに、インターネット接続処理中に、テレビジョン映像のみを表示させ、接続完了後に、インターネット画面表示に切換えるという提案も示されている。さらに、インターネット接続処理中に、接続処理中であることを示す表示を行なうことも開示されている。
【０００８】
以上のように特許文献１においては、インターネット閲覧機能を備えたテレビジョン受信機において、インターネット接続処理中の画面表示をいかに適切に行なって、使い勝手を向上させるかということに主眼を置いた提案がなされており、インターネット通信速度が遅い環境においてはそれなりの効果は期待できる。
【０００９】
しかしながら、一般家庭にも高伝送速度のＤＳＬ（Digital Subscriber Line）や光ファイバーを用いて外部ウェブサイトと接続する環境が普及しつつあり、インターネットの通信速度は格段に速くなってきている。加えて、廉価な価格でインターネットの常時接続を提供するプロバイダも出現してきており、インターネットアクセス環境は高水準なものとなっている。
【００１０】
したがって、インターネット接続処理も、それほどストレスを与えることなく実行可能な状況になりつつあり、ユーザにとっては、インターネット接続処理中の画面表示をどうするかよりも、接続が完了した後での使い勝手を良くするという提案の方が、より現実性を持ったものとして受け入れられると思われるが、そのような提案はなされていなかった。
【特許文献１】特開平１０−４２２０５号公報（第６，７頁、図１，５，６）
【発明の開示】
【発明が解決しようとする課題】
【００１１】
以上のように、従来、通信回線を介してインターネットのウェブサイトにアクセスしてウェブページを画面表示させる機能を備えたテレビジョン受像機においては、インターネットへの接続が完了した後においてテレビジョン放送画面とインターネット画面の表示の切換えを機能的に行なうという観点での提案がなされておらず、操作性の点で改善の余地があった。
【００１２】
本発明は、以上の点に鑑みてなされたものであり、インターネットに接続された状態において、テレビジョン番組画面とインターネット画面の切換えを、機能的かつスムーズに実行できるようにしたテレビジョン放送受信装置を提供することを目的とする。
【課題を解決するための手段】
【００１３】
本発明のテレビジョン放送受信装置は、複数のテレビジョン信号を受ける受信手段と、通信手段によって外部ウェブサイトからウェブページの情報を取得して表示可能なブラウザ画面を構築する情報取得手段と、表示手段と、前記受信手段で受信された複数のテレビジョン信号に基づく映像と前記情報取得手段で構築されたブラウザ画面に基づく映像とから選択した２つの映像による二画面表示を前記表示手段で行なわせる表示制御手段と、を具備したことを特徴とする。
【００１４】
本発明のテレビジョン放送受信装置は、データが多重伝送される放送信号を受ける受信手段と、メモリと、表示手段と、前記メモリの所定領域を用いて、前記放送信号に多重伝送されるデータを前記表示手段で表示させるための映像を構築する処理手段と、通信手段によって外部ウェブサイトからウェブページの情報を取得して前記メモリの所定領域を用いて、前記表示手段で表示させるためのブラウザ画面を構築する情報取得手段と、前記処理手段で構築された映像を前記表示手段で表示する表示形態から前記情報取得手段で構築されたブラウザ画面を表示する表示形態に切換える際に、前記処理手段の処理用割り当てられた前記メモリの領域を解放して前記情報取得手段用に確保する制御手段と、を具備したことを特徴とする。
【発明の効果】
【００１５】
本発明によれば、二画面表示を実行させる際に、いかなる映像信号組合わせた二画面表示を行なわせるかを画面で選択できるようにしたので、確実に所望の二画面表示を行なわせることができるものである。
【００１６】
さらに、二画面表示を起動した際に表示される二画面表示の内容を予め設定しておくことで、簡単な操作で二画面表示を実行させることが可能となる。その場合、リモートコントローラの二画面キーを操作するこ毎に、二画面表示の内容の切換えと、一画面表示への切換えをサイクリックに実行させるように構成することが可能であり、操作がより簡単になるものである。
【００１７】
また、二画面表示を起動した際に、その都度、二画面表示の内容を選択するための設定画面を表示させるか、予め設定された内容の二画面表示を行なわせるかを、予め決めておくことが可能であり、さらに操作性を向上させることができるものである。
【００１８】
さらにまた、ＢＭＬブラウザが起動している状態から、ＨＴＭＬブラウザによる画面表示を行なわせる際に、ＢＭＬブラウザで使っていたメモリ領域を開放してから、ＨＴＭＬブラウザの画面表示用のメモリ領域を確保するように構成したので、ＨＴＭＬブラウザ画面を確実に表示させることができ、さらにメモリも有効活用できるようになるものである。
【発明を実施するための最良の形態】
【００１９】
以下、図面を参照しながら本発明のテレビジョン放送受信装置の一実施の形態を詳細に説明する。  
図１は、本発明のテレビジョン放送受信装置１００の一実施の形態を示す回路ブロック図である。図１に示す装置は、アナログ放送とデジタル衛星放送の両方を視聴可能に構成されており、アナログ放送用のチューナ部１０１とデジタル衛星放送受信用のチューナ部１０２を備える。
【００２０】
アナログチューナ部１０１は、アンテナ入力端子１０３を介してアナログ放送受信用のアンテナ１０４に接続され、デジタルチューナ部１０２は、アンテナ入力端子１０５を介して、衛星放送受信用のアンテナ１０６に接続されている。
【００２１】
アナログチューナ部１０１は、アンテナ１０４でキャッチされた放送信号に含まれる複数のチャンネルの中から所望のチャンネルを選局して、その受信信号を復調部１０７に出力する。復調部１０７では、映像信号の検波を行い、検波されたアナログ映像信号をＡ／Ｄコンバータ１０８に導出する。Ａ／Ｄコンバータ１０８では、入力されるアナログ映像信号をデジタル信号に変換してグラフィックス処理／重畳部１０９に導出する。
【００２２】
グラフィックス処理／重畳部１０９にはＡ／Ｄコンバータ１０８の出力の他、後述するデジタル放送の映像信号等複数の映像信号が入力され、グラフィックス処理／重畳部１０９は、それら入力される複数の映像信号を択一的に選択して出力する他、入力される複数の映像信号の中から選択した２つの映像信号を同じ画面で表示させるいわゆる二画面表示のための処理を行い、さらに映像信号のフォーマット変換処理、後述するＯＳＤ（On Screen Display）信号を放送番組の映像信号に重畳する処理等を実行する。
【００２３】
グラフィックス処理／重畳部１０９の出力は、映像信号処理部１１０に供給され、映像信号処理部１１０では、入力された映像信号をディスプレイ１１１で表示させるための処理を施す。すなわち、例えば入力されたデジタル映像信号をアナログ信号に変換し、標準テレビジョンフォーマットに変換する等の処理を実行して、ディスプレイ１１１に出力してそれを表示させる。
【００２４】
また、デジタルチューナ部１０２は、アンテナでキャッチされた放送信号に含まれる複数のチャンネルの中から所望のチャンネルを選局し、さらにそれによって得られる受信号の復調、誤り訂正、必要に応じてスクランブル解除等の処理を施し、ＭＰＥＧ（Moving Picture Experts Group）２のＴＳ（Transport Stream）としてデマルチプレクサ１１２に出力する。
【００２５】
デマルチプレクサ１１２では、ＴＳを構成する各種パケットをパケット毎に分離抽出して出力する。例えば番組を構成するＰＥＳ（Packetized Elementary Stream）は、デコーダ１１３に供給されて、ここでデコードされる。ＰＥＳに含まれる映像パケットは例えばＭＰＥＧ２規格に基づいて復号されて、非圧縮のデジタル映像信号としてグラフィックス処理部１０９に導出される。
【００２６】
さらに、テレビジョン受信装置１００は、ＯＳＤ信号生成部１１４を備える。このＯＳＤ信号生成部１１４では、グラフィックス処理／重畳部１０９で選択された映像信号に重畳させるためのＯＳＤ信号を生成するものである。ＯＳＤ信号としては、例えば各種設定を行なうためのメニュー画面等のＧＵＩ（Graphical User Interface）形式の画面を構築するための信号であり、ディスプレイ１１１に画面表示されると後述するリモートコントローラのカーソルキーと決定キーによって項目を選択してそれを登録することが可能である。
【００２７】
さらに、テレビジョン放送受信装置１００は、各部の動作、機能を調整するための制御部１１５を備えている。制御部１１５は、例えばＭＰＵ（Micro Processing Unit）で構成され、アナログチューナ部１０１及びデジタルチューナ部１０２のチャンネル切換え、グラフィックス処理／重畳部１０９の制御、映像信号処理部１１０の制御、デマルチプレクサ１１２のパケット分離抽出、デコーダ１１３の復号等の制御を行なう。
【００２８】
このため、制御部１１５には、各種処理プログラムが格納されたＲＯＭ（Read Only Memory）１１６、ワークメモリとしてのＲＡＭ（Random Access Memory）１１７が接続され、さらに設定メニュー等で設定されたデータを保存するための不揮発性メモリ１１８が接続されている。
【００２９】
また、ＲＯＭ１１６には、インターネットのブラウザであるＨＴＭＬ（HyperText Markup Language）ブラウザのプログラムが格納されており、制御部１１５では、後述する外部ウェブサイトから読み込んだウェブページのデータをそのブラウザプログラムに基づいて変換して、ＲＡＭ１１７を用いて表示画面を構築し、それを映像信号選択部１０９とグラフィックス処理部１１４に導出する機能を有しており、制御部１１５の中にＨＴＭＬブラウザ１１９としてブロックで示している。
【００３０】
さらにまた、ＲＯＭ１１６には、デジタル放送で多重伝送されるメタデータから、例えばＥＰＧ（Electronic Program Guide）あるいは地域の天気予報、ニュース等の表示画面を構築するためのＢＭＬ（Broadcast Markup Language）ブラウザのプログラムも格納されており、制御部１１５内部に機能としてＢＭＬブラウザ１２０をブロックで示している。ＢＭＬブラウザもまた、ＲＡＭ１１７を用いて表示画面を構築する。
【００３１】
さらにＲＯＭ１１６には、以上のような各種アプリケーションソフトの他、ＯＳＤ信号生成部１１４でＯＳＤ信号を生成するための、文字、記号、キャラクタ等のデータも保存されている。
【００３２】
さらに、制御部１１５には、通信Ｉ／Ｆ（Interface）１２１が、通信端子１２２との間に接続されており、この通信Ｉ／Ｆ１２１を介してインターネット１２３と接続されて、インターネット１２３に接続された外部ウェブサーバ１２４にアクセス可能となるように構成されている。通信Ｉ／Ｆ１２１は、例えばＴＣＰ／ＩＰ（Transmission Control Protocol/Internet Protocol）に準拠した通信機能を備えたモデムを含む。
【００３３】
さらに、制御部１１５には、赤外線受光部１２５と操作入力部１２６が接続されており、赤外線受光部１２５は、リモートコントローラ１２７からのリモコン信号を受けてこれを制御部１１５に導出する。また、操作入力部１２６は、テレビジョン放送受信装置１００の例えば前面パネルに設けられた複数のスイッチで構成され、リモートコントローラ１２７と併せて、ユーザがテレビジョン放送受信装置１００の機能の切換え、調整、動作設定等を行なう際に操作されるものである。
【００３４】
なお、図１に示すブロック図では、音声信号処理系が示されていないが、これは本発明の説明をより解り易くするために省略した結果であり、当然ながらテレビジョン放送受信装置１００としては、音声信号処理系を含むものである。例えば、アナログ放送については、復調部１０７から音声中間周波信号を抽出して、これを検波、増幅して、スピーカ等の音声出力手段で出力することが可能である。また、デジタル放送については、デコーダ１１３で音声データをデコードして、アナログ信号に変換して、スピーカ等の音声出力手段で出力することが可能である。
【００３５】
図２にリモートコントローラ１２７のキー配置の例を示す。図２に示すように、リモートコントローラ１２７は、アナログ放送のチャンネル切換え、あるいは数字／文字データ入力時等に使用する数字キー２０１を有する。数字キー２０１は、１〜１２のキーで構成され、さらにそれらキーに対してかな文字とアルファベットが割り当てられている。例えば数字「１」が付されたキーは、あ行のかな（ひらがな、カタカナ）文字と、アルファベットのＡＢＣ及びその小文字が入力可能である。
【００３６】
さらにリモートコントローラ１２７は、デジタル衛星放送のチャンネルを直接切換えるための数字キー２０２を有する。さらにリモートコントローラ１２７は、カーソルキー２０３と、カーソルキー２０３で選択した項目を登録（決定）するための決定キー２０４を有し、さらに、チャンネルをアップ／ダウン選局するためのチャンネルアップ／ダウンキー２０５と、音量を増大させ、または減少させるための音量調整キー２０６と、受信装置１００の電源をオン／オフするための電源キー２０７を有する。
【００３７】
さらにリモートコントローラ１２７は、通信Ｉ／Ｆ１２１を起動して外部ウェブサーバ１２４にアクセスすると共に、ＨＴＭＬブラウザ１１９を立ち上げるためのインターネットキー２０８と、処理を終了させる終了キー２０９と、表示画面を戻す際等に使用する戻るキー２１０と、ＢＭＬブラウザ１２０を起動して、多重伝送されるデータを表示させるためのｄキー２１１を備え、さらに各種機能を設定するためのメニューを画面表示させるためのメニューキー２１２と、二画面表示を制御するための二画面キー２１３と、ＢＭＬブラウザ１２０を起動してＥＰＧを画面表示させるための番組表キー２１４を備える。
【００３８】
以上のように構成されたテレビジョン放送受信装置１００において、放送番組を視聴するには、リモートコントローラ１２７の数字キー２０１あるいは２０２の所望の受信チャンネル番号の数字キーを操作する。それによって、制御部１１５は、赤外線受光部１２５を介してリモートコントロール信号を受けて、対応するチューナ部１０１，１０２の選局処理を実行する。
【００３９】
例えば、数字キー２０１の「１」が操作されたとすると、アナログチューナ部１０１が１チャンネルを受信するように制御され、それによって復調部１０７、Ａ／Ｄコンバータ１０８を介して受信したチャンネル１の映像信号がグラフィックス処理／重畳部１０９に導出される。制御部１１５は、グラフィックス処理／重畳部１０９に対して、Ａ／Ｄコンバータ１０８の出力を選択して映像信号処理部１１０に導出するように制御すると共に、映像信号処理部１１０を制御して表示に必要な処理を施してディスプレイ１１１に出力させる。それによってＡ／Ｄコンバータ１０８の出力がディスプレイ１１１で表示され、アナログ放送１チャンネルの視聴が行なわれる。
【００４０】
その状態で、リモートコントローラ１２７のチャンネルアップ／ダウンキー２０５を操作すれば、制御部１１５は、それを受けて、アナログチューナ部１０１の選局チャンネルを順次アップあるいはダウンさせて、受信したチャンネルで放送が行なわれていれば、それを視聴することができる。
【００４１】
さらに、デジタル放送を受信するには、リモートコントローラ１２７のデジタル放送チャンネルを直接選択するための数字キー２０２を操作する。それによって、制御部１１５は、デジタルチューナ部１０２を制御して、操作された数字キーに対応するチャンネルを選局させる。例えば、「１」が操作されたらＮＨＫ（日本放送協会）の１０１チャンネルが選局され、デマルチプレクサ１１２で番組を構成するＥＳが分離され、デコーダ１１３でデコードされてグラフィックス処理／重畳部１０９に導出される。制御部１１５は、グラフィックス処理／重畳部１０９をデコーダ１１３の出力を選択するように制御し、さらに映像信号処理部１１０を制御する。その結果、デコーダ１１３でデコードされた映像信号が、ディスプレイ１１１で表示され１０１チャンネルの視聴が行なわれる。
【００４２】
さらに、他のチャンネルの番組を視聴するには、リモートコントローラ１２７の数字キー２０２の所望のチャンネルに相当する数字キーを操作するか、あるいはチャンネルアップ／ダウンキー２０５を操作する。
【００４３】
あるいはまたデジタル放送に多重伝送されるメタデータからＥＰＧの番組表を構築してディスプレイ１１１に表示させ、視聴したい番組を選択することも可能である。
【００４４】
すなわち、ＥＰＧの番組表を表示させる場合には、リモートコントローラ１２７の番組表キー２１４を操作する。それによって制御部１１５は、デマルチプレクサ１１２を制御して、多重伝送されるメタデータに含まれるＳＩ（Service Information）からＥＰＧのデータを取得して解析すると共に、ＢＭＬブラウザ１２０を駆動してＲＡＭ１１７の所定領域を用いてＥＰＧの画面を構築させ出力させる。同時に制御部１１５は、グラフィックス処理／重畳部１０９と映像信号処理部１１０を制御して、ＥＰＧ番組表をディスプレイ１１１に表示させる。
【００４５】
表示された番組表からリモートコントローラ１２７のカーソルキー２０３と決定キー２０４を用いて、視聴したい番組を選択することが可能である。あるいはまた、将来の放送番組の視聴予約も行なうことができる。
【００４６】
図３は、ＥＰＧ番組表を表示させた例を示す図であり、画面３０１に表示された番組表３０２は、画面横方向に放送局（チャンネル）が示され、縦方向に日時が示されており、放送される番組タイトルがそれらの交わる位置に表示されている。図中斜線部分は、カーソル３０３を示し、リモートコントローラ１２７のカーソルキー２０３を操作することで、縦横方向に移動する。
【００４７】
また、デジタル放送を視聴している状態において、例えば番組に多重で伝送されるデータ放送の内容を画面表示させたい場合は、リモートコントローラ１２７のｄキー２１１を操作する。それによって、制御部１１５は、デマルチプレクサ１１２を制御してデータ放送のパケットを分離させ、それを受けて解析すると共に、ＢＭＬブラウザ１２０を立ち上げ、ＲＡＭ１１７の所定領域を用いて表示画面を構築し、それを出力する。
【００４８】
ＢＭＬブラウザ１２０で構築されたデータ放送画面は、制御部１１５の制御の下、グラフィックス処理／重畳部１０９で番組映像の端に表示されるように処理されて映像信号処理部１１０を介してディスプレイ１１１に供給されて表示される。
【００４９】
番組の映像と組合わせて表示されるデータ放送の内容としては、例えば、地域の天気予報、ニュース等、番組とは関係しない情報であったり、あるいは番組内容を紹介する文等であったりする。
【００５０】
さらに、インターネットで外部ウェブサーバ１２４に蓄えられたウェブページの閲覧を行なう場合には、リモートコントローラ１２７のインターネットキー２０８を操作する。それによって制御部１１５は、通信Ｉ／Ｆ１２１を起動して、インターネット１２３を介してウェブサーバ１２４にアクセスし、所望のウェブページのデータを取り込む。同時にＨＴＭＬブラウザ１１９を立ち上げて、ＲＡＭ１１７の所定領域を使って、取り込んだデータに基づきそれを表示させる画面を構築させて出力する。さらに制御部１１５が、グラフィックス処理／重畳部１０９と映像信号処理部１１０を制御して、ＨＴＭＬブラウザ１１９の画面をディスプレイ１１１で表示させる。
【００５１】
一度ウェブサーバ１２４との通信が確保された以降は、接続状態は継続されるものである。  
図４はＨＴＭＬブラウザ１１９によって表示される画面の例を示すものであり、画面４０１にＨＴＭＬブラウザの所定のフレーム表示４０２がなされると共に、内部にウェブページ４０３が表示されている。
【００５２】
このウエブページは、インターネットに接続した際に、最初にアクセスされるいわゆるポータルサイトであり、そのＵＲＬ（Uniform Resource Locator）は例えば予め不揮発性メモリ１１８に記憶させておくことが可能である。図４に示されたページから他のページの表示に切換えるには、ページ表示４０３の中にリンク項目が存在する場合には、リモートコントローラ１２７のカーソルキー２０３でその項目にカーソルを移動させて決定キー２０４を操作すればよい。あるいは、ＵＲＬアドレスを直接入力することも可能であり、リモートコントローラ１２７の数字キー２０１を使って、文字を入力することができる。
【００５３】
次に、本発明を構成する二画面表示機能について説明する。  
リモートコントローラ１２７の二画面キー２１３を操作すると、制御部１１５は、ＯＳＤ信号生成部１１４を制御して、二画面を構成する画像の組合わせを選択させるためのＯＳＤ信号を生成させ、これをグラフィックス処理／重畳部１０９、映像信号処理部１１０を介してディスプレイ１１１に導出して表示させる。
【００５４】
図５は、それによって表示される画面の例を示すものである。すなわち、図５において画面５０１には、タイトルとしての「二画面表示」の下に、選択項目として「オンエア二画面表示」５０２と「インターネット二画面表示」５０３の項目が表示され、さらに画面５０１の下部に、上下のカーソルキー２０３で選択して決定キー２０４によって決定するとの案内表示５０４がなされている。また、選択項目５０２に斜線が付されているのは、その項目にカーソル５０５が位置していることを示している。リモートコントローラ１２７のカーソルキー２０３の内上下キーを操作するとカーソル５０５が移動し、決定キー２０４を操作するとカーソル５０５が位置する項目が登録される。
【００５５】
オンエア二画面は、受信された放送番組の映像同士による二画面であり、アナログチューナ部１０１で受信された番組の映像と、デジタルチューナ部１０２で受信された番組の映像がそれぞれ画面半分ずつ表示される。また、インターネット二画面は、ＨＴＭＬブラウザ１１９によるインターネット画面と、受信された放送番組の映像とによって構成される二画面であり、放送番組の映像としてはアナログチューナ部１０１あるいはデジタルチューナ部１０２のいずれかが選択される。
【００５６】
制御部１１５は、図５に示す画面で設定された項目に基づいて、グラフィック処理／重畳部１０９を制御し、対象となる映像信号を処理して二画面表示画像を生成してディスプレイ１１１で表示させる。
【００５７】
図６は、図５の設定画面において、オンエア二画面５０２が選択された際の、ディスプレイ１１１の表示例であり、画面６０１は、例えばその左半分にデジタル放送の受信番組の映像６０２が表示され、右半分にはアナログ放送の受信番組の映像６０３が表示されている。
【００５８】
また、図７は、図５の設定画面において、インターネット二画面５０３が選択された際の、ディスプレイ１１１の表示例であり、画面７０１は、例えばその左半分にＨＴＭＬブラウザ１１９によるインターネット画像７０２が表示され、右半分にはアナログ放送の受信番組の映像７０３が表示されている。
【００５９】
図６、７で示す二画面表示が行なわれている状態で、二画面表示を終了させる場合には、リモートコントローラ１２７の終了キー２０９を操作する。
【００６０】
図８は、以上説明した図１のテレビジョン放送受信装置１００の動作を改めて説明するためのフローチャートである。図８において、ステップＳ８０１で開始され、ステップＳ８０２で二画面キー２１３が押されたか否かが判定され、二画面キー２１３が押されたと判定された場合には、ステップＳ８０３で、図５に示すポップアップ（二画面表示の設定画面）を表示する。
【００６１】
次いで、ステップＳ８０４で、ポップアップの二つの選択項目の内、オンエア二画面が選択されたか否かの判定がなされ、選択されたと判定されたら次にステップＳ８０５でリモートコントーラ１２７の決定キー２０４が押されたか否かの判定がなされる。決定キー２０４が押されたと判定された場合には、ステップＳ８０６でオンエア二画面を表示する。
【００６２】
次いでステップＳ８０７で終了キー２０９が押されたか否かの判定がなされ、押されたと判定されたらステップＳ８０８で処理を終了する。
【００６３】
ステップＳ８０４でオンエア二画面が選択されなかったと判定された場合には、二つの選択項目の内の他方の項目であるインターネット二画面が選択されるということであり、ステップＳ８０９でインターネット二画面を選択する。
【００６４】
次いでステップＳ８１０で決定キー２０４が押されたか否かの判定がなされ、決定キー２０４が押されたと判定された場合には、ステップＳ８１１でインターネット二画面を表示する。次いでステップＳ８０７に移って終了キー２０９が押されたか否かの判定がなされ、押されたと判定されたら処理を終了する。
【００６５】
また、ステップＳ８０５及びステップＳ８１０で決定キー２０４が未だ押されていないと判定されたらそれぞれステップＳ８０４に戻る。
【００６６】
以上のように、本発明のテレビジョン放送受信装置１００によれば、二画面表示をいかなる映像信号の組み合わせで行うか設定画面を表示させて、リモートコントローラ１２７のカーソルキー２０３と決定キー２０４で設定することができるので、目的の２画面表示を簡単にかつ確実に実行させることができるものである。
【００６７】
なお、ＨＴＭＬブラウザ１１９とＢＭＬブラウザ１２０は、それぞれ表示用画像を構築する際に、ＲＡＭ１１７の同じメモリ領域を使用するため、インターネット二画面表示が選択された際に、それ以前にＢＭＬブラウザ１２０の画面が表示されていると、ＢＭＬブラウザ１２０でそれまで使っていたＲＡＭ１１７のメモリ領域を開放してから、ＨＴＭＬブラウザ１１９のメモリ領域として取得する必要がある。
【００６８】
その処理過程を図９のフローチャートを用いて説明する。図９において、ステップＳ９０１で開始され、ステップＳ９０２でインターネット二画面が選択されたか否かの判定がなされる。次いで、ステップＳ９０３で、インターネット二画面が選択される前にＢＭＬブラウザ１２０が起動されていたか否かの判定がなされ、ＢＭＬブラウザ１２０が起動されていた場合には、ステップＳ９０４でＢＭＬブラウザに割り当てられたているＲＡＭ１１７の所定メモリ領域を開放する。
【００６９】
次いでステップＳ９０５でＨＴＭＬブラウザに必要なメモリ領域を確保し、ステップＳ９０６でインターネット二画面を表示する。
【００７０】
次いで、ステップＳ９０７でリモートコントローラ１２７の終了キー２０９が押されたか否かの判定がなされ、終了キー２０９が操作された場合には、ステップＳ９０８で処理を終了する。
【００７１】
ステップＳ９０３でＢＭＬブラウザが起動されていなかったと判定された場合には、ステップＳ９０４をパスしてステップＳ９０５に移り、ＨＴＭＬブラウザのメモリ領域を確保してから、ステップＳ９０６でインターネット二画面を表示させる。
【００７２】
図９に示すフローチャートでは、インターネット二画面が選択された際に、ＢＭＬブラウザ１２０が起動していたら、ＢＭＬブラウザに割り当てられているメモリ領域を開放してから、ＨＴＭＬブラウザ用にメモリ領域を取得してインターネット二画面表示を実行させるものであるため、画面の半分を構成するＨＴＭＬブラウザによるインターネット画像を確実に表示させることが可能となり、さらにＲＡＭ１１７のメモリ領域を有効に活用させることができるものである。
【００７３】
以上、図１に示すテレビジョン放送受信装置１００の動作を説明したが、実施の形態では、二画面表示を行わせる場合に、二画面表示の種類を設定するための画面表示をさせてから選択するという手順を取っているため、所望する映像信号の組み合わせによる二画面表示を確実に行わせることができるが、二画面表示を起動させた際にどのような二画面表示を行わせるかということを予め設定しておけば、都度設定画面を表示させる必要がなくなる。
【００７４】
表示された二画面画面が所望のものでない場合には、再び二画面キー２１３を操作することで、他の種類の二画面表示に切換え、さらに二画面キー２１３を操作することで一画面表示に切換え、さらに二画面キー２１３を操作すると最初の二画面表示に戻るというように、二画面キー２１３を操作する毎にサイクリックに表示を切換えるように構成することが可能である。
【００７５】
すなわち、まず、二画面表示が起動された際に、いかなる映像信号の組み合わせの二画面表示を実行させるか予め設定を行う。その設定はリモートコントローラ１２７のメニューキー２１２を操作して、ディスプレイ１１１にメニュー画面を表示させ、表示されたメニューに基づき設定のための操作を行う。
【００７６】
すなわち、メニューキー２１２を操作すると、制御部１１５は、ＯＳＤ信号生成部１１４を駆使して図１０に示すＧＵＩ形式の設定メニュー画面を構築して出力させ、これをディスプレイ１１１に表示させる。
【００７７】
図１０において、画面１００１には、設定メニューのタイトルの下に、設定の項目が表示され、その項目の中に「二画面設定」１００２が含まれている。画面１００１の下部には、リモートコントローラ１２７のカーソルキー２０３の上下左右のキーで選択して、決定キー２０４を操作するという操作手順の案内１００３が示されている。また、斜線はカーソル１００４を示す。
【００７８】
図１０において、リモートコントローラ１２７のカーソルキー２０３を操作して、カーソル１００４を二画面設定項目１００２に位置させて、決定キー２０４を操作すると、制御部１１５は、ＯＳＤ信号生成部１１４を駆使して、図１１に示す二画面表示設定画面を構築して、これをディスプレイ１１１に表示させる。
【００７９】
図１１では、図５に示す設定画面と同様の画面構成の設定画面が表示され、画面１１０１にタイトルと、オンエア二画面の選択項目表示１１０２と、インターネット選択項目表示１１０３がなされ、さらに下部にカーソルキー２０３の上下キーと決定キー２０４で選択決定するという案内表示１１０４が示されている。
【００８０】
図１１において、例えば、オンエア二画面を選択決定すると、制御部１１５はそのデータを不揮発性メモリ１１８に記憶させる。
【００８１】
以上のようにして、二画面表示の設定が実行された後に、リモートコントローラ１２７の二画面キー２１３を操作すると、制御部１１５は不揮発性メモリ１１８に記憶されている設定データを読み込む。そのデータはオンエア二画面であるために、制御部１１５は、グラフィックス処理／重畳部１０９と映像信号処理部１１０を制御して、図６に示すアナログ放送受信番組映像と、デジタル放送受信番組映像とからなる二画面表示を行う。
【００８２】
さらに、二画面キー２１３を操作する毎に、設定画面（ポップアップ）（図５）を表示させる手順と、予め二画面表示の種類を設定しておくという手順のいずれを行わせるかについて設定して、予めそのデータを不揮発性メモリ１１８に記憶させておいて、二画面表示が起動された際に、そのデータを読み出して、設定に対応した手順で二画面表示を実行させるように構成することも可能である。
【００８３】
図１２は、その処理過程を説明するためのフローチャートである。図において、ステップＳ１２０１で開始され、ステップＳ１２０２でリモートローラ１２７の二画面キー２１３が押されたか否かが判定され、押されたと判定された場合には、ステップＳ１２０３で、ポップアップを表示させるか否かの設定を不揮発性メモリ１１８から読み出す。
【００８４】
次いでステップＳ１２０４で、読み出したデータが、ポップアップを表示するというものであるか否かの判定を行い、ポップアップを表示させるという設定になっていたと判定されたら、ステップＳ１２０５〜ステップＳ１２１３まで、図８で示すフローチャートのステップＳ８０３からＳ８１１と同様の処理を実行する。
【００８５】
ステップＳ１２０４で、ポップアップを表示させないことが設定されていると判定されたら、ステップＳ１２１４で不揮発性メモリ１１８に記憶された、二画面の優先表示種類データを読み出す。次いでステップＳ１２１５でオンエア二画面が優先する旨設定されていたか否かの判定がなされ、オンエア二画面が設定されていたら、ステップＳ１２１６でオンエア二画面を表示させてステップＳ１２０９に移る。また、オンエア二画面表示が設定されていないと判定された場合には、ステップＳ１２１７でインターネット二画面表示を行ってステップＳ１２０９に移る。
【００８６】
以上説明した実施の形態によれば、二画面キー２１３を操作するたびに設定画面（ポップアップ）を表示させるか、予め設定しておいた種類の二画面表示を実行させるかを設定しておくことができるので、使い勝手が向上するものである。
【００８７】
なお、二画面キー２１３を操作した際に、予め設定した種類の二画面表示を実行させるようにした実施の形態の場合、前述したように二画面キー２１３を操作する度に、二画面表示の種類を変え、さらに一画面表示に換えるという処理をサイクリックに繰り返すように構成してもよいものであり、その処理の過程を図１３のフローチャートで示す。
【００８８】
図１３において、ステップＳ１３０１で開始され、ステップＳ１３０２で、二画面キーが押されたか否かの判定がなされ、二画面キーが押されたと判定されたら、ステップＳ１３０３で二画面キーが押される前は、一画面表示であったか否かの判定がなされ、一画面表示であった場合には、ステップＳ１３０４でオンエア二画面表示を行う。次いで、ステップＳ１３０５で終了キー２０９が押されたか否かの判定がなされ、押されたと判定された場合には、ステップＳ１３０６で処理を終了し、終了キー２０９が操作されていない場合には、ステップＳ１３０２に戻る。
【００８９】
ステップＳ１３０３で二画面キーが押される前が一画面表示ではなかったと判定された場合には、ステップＳ１３０７で、オンエア二画面表示であったか否かが判定され、オンエア二画面表示であった場合には、インターネット二画面表示を実行させてステップＳ１３０５に移る。また、ステップＳ１３０７でオンエア二画面表示ではなかったと判定された場合には、一画面表示に換えてステップＳ１３０５に移る。
【００９０】
以上のように本発明のテレビジョン放送受信装置によれば、二画面表示を実行させる際に、リモートコントローラの二画面キーを操作する毎に、いかなる映像信号を組合わせた二画面表示を行なわせるかを画面で選択できるようにしたので、確実に所望の二画面表示を行なわせることができるものである。
【００９１】
さらに、二画面表示を起動した際に表示される二画面表示の内容を予め設定しておくことで、簡単な操作で二画面表示を実行させることが可能となる。その場合、リモートコントローラの二画面キーを操作する毎に、二画面表示の内容の切換えと、一画面表示への切換えをサイクリックに実行させるように構成することが可能であり、操作がより簡単になって使い勝手が向上するものである。
【００９２】
あるいはまた、二画面表示を起動した際に、その都度、二画面表示の内容を選択するための設定画面を表示させるか、予め設定された内容の二画面表示を行なわせるかを、予め決めておくことも可能であり、さらに操作性を向上させることができるものである。
【００９３】
さらにまた、ＢＭＬブラウザが起動している状態から、ＨＴＭＬブラウザによる画面表示を行なわせる際に、ＢＭＬブラウザで使っていたメモリ領域を開放してから、ＨＴＭＬブラウザの画面表示用のメモリ領域を確保するように構成したので、ＨＴＭＬブラウザ画面を確実に表示させることができ、さらにメモリも有効活用できるようになるものである。
【図面の簡単な説明】
【００９４】
【図１】本発明に係るテレビジョン放送受信装置の一実施の形態を示す回路ブロック図。
【図２】図１のテレビジョン放送受信装置に適用されるリモートコントローラのキー配置の一例を示す図。
【図３】図１のテレビジョン放送受信装置で表示されるＢＭＬブラウザ画面の表示例を示す図。
【図４】図１のテレビジョン放送受信装置で表示されるＨＴＭＬブラウザ画面の表示例を示す図。
【図５】図１のテレビジョン放送受信装置において、二画面表示させる映像の内容を設定するための設定画面構成の一例を示す図。
【図６】図１のテレビジョン放送受信装置において表示される二画面表示の画面構成の一例を示す図。
【図７】図１のテレビジョン放送受信装置において表示される二画面表示の画面構成の他の例を示す図。
【図８】図１のテレビジョン放送受信装置の動作を説明するためのフローチャート。
【図９】図１のテレビジョン放送受信装置の動作を説明するためのフローチャート。
【図１０】図１のテレビジョン放送受信装置において、二画面表示させる内容を予め設定するためのメニュー画面構成を示す図。
【図１１】図１のテレビジョン放送受信装置において、二画面表示させる内容を予め設定するための画面構成を示す図。
【図１２】図１のテレビジョン放送受信装置の動作を説明するためのフローチャート。
【図１３】図１のテレビジョン放送受信装置の動作を説明するためのフローチャート。
【符号の説明】
【００９５】
１００…テレビジョン放送受信装置
１０１…アナログチューナ部
１０２…デジタルチューナ部
１０３，１０５…アンテナ入力端子
１０４…アナログ放送受信アンテナ
１０６…デジタル放送受信アンテナ
１０７…復調部
１０８…Ａ／Ｄコンバータ
１０９…グラフィックス処理／重畳部
１１０…映像信号処理部
１１１…ディスプレイ
１１２…デマルチプレクサ
１１３…デコーダ
１１４…ＯＳＤ信号生成部
１１５…制御部
１１６…ＲＯＭ
１１７…ＲＡＭ
１１８…不揮発性メモリ
１１９…ＨＴＭＬブラウザ
１２０…ＢＭＬブラウザ
１２１…通信Ｉ／Ｆ
１２２…通信端子
１２３…インターネット
１２４…ウェブサーバ
【図１】
2005244716.tif 000003
【図２】
2005244716.tif 000004
【図３】
2005244716.tif 000005
【図４】
2005244716.tif 000006
【図５】
2005244716.tif 000007
【図６】
2005244716.tif 000008
【図７】
2005244716.tif 000009
【図８】
2005244716.tif 000010
【図９】
2005244716.tif 000011
【図１０】
2005244716.tif 000012
【図１１】
2005244716.tif 000013
【図１２】
2005244716.tif 000014
【図１３】
2005244716.tif 000015